(57)【要約】【課題】液体処理装置に取り付けられる液体回路パネルユニット上のチューブに対して液体状態検知センサを正確に配置することが可能な液体回路パネルユニット取付構造を提供する。【解決手段】液体回路パネルユニット取付構造は、液体Ｌの流路を形成するチューブ６と、当該チューブ６を定形状に保持して液体回路２を形成するための回路パネル３と、を有する液体回路パネルユニット８を、急速輸液装置１に取り付ける取付構造であって、急速輸液装置１に設けられ液体回路パネルユニット８のチューブ６内を通過する液体Ｌの状態を検知する検出器３０と、検出器３０に対応して液体回路パネルユニット８のチューブ６を定位置に保持するチューブ保持部２０と、を備え、チューブ保持部２０は、液体回路パネルユニット８の取付動作に連動してチューブ６を受入れると共に、取付動作の完了時にチューブ６を定位置で保持する。【選択図】図７
2015158472.tif 000002
【特許請求の範囲】
【請求項１】
液体の流路を形成するチューブと、当該チューブを定形状に保持して液体回路を形成するための回路パネルと、を有する液体回路パネルユニットを、前記液体を処理する液体処理装置に取り付ける液体回路パネルユニット取付構造であって、
前記液体処理装置に設けられ前記液体回路パネルユニットの前記チューブ内を通過する液体の状態を検知する液体状態センサと、
前記液体状態センサに対応して前記液体回路パネルユニットの前記チューブを定位置に保持するチューブ保持部と、を備え、
前記チューブ保持部は、
前記液体回路パネルユニットの前記液体処理装置への取付動作に連動して前記チューブを受入れると共に、前記取付動作の完了時に前記チューブを前記定位置で保持する、液体回路パネルユニット取付構造。
【請求項２】
前記チューブ保持部は、
前記液体回路パネルユニットの取付前には前記チューブが挿入される受入口を閉じており、前記液体回路パネルユニットの前記取付動作に連動して前記受入口を開き、前記取付動作の完了時に前記受入口を閉じることにより前記チューブを前記定位置で保持する、請求項１に記載の液体回路パネルユニット取付構造。
【請求項３】
前記取付動作は、
前記液体回路パネルユニットを前記液体処理装置に向けて押圧する動作であり、
前記チューブ保持部は、
前記チューブが挿入される受入口を覆うと共に、前記取付動作の押圧方向に直交する方向にスライドして前記受入口を開閉するスライドカバーを備え、
前記スライドカバーは、
前記取付動作による前記液体回路パネルユニットからの押圧力をスライド方向に変換する傾斜面を有する、請求項２に記載の液体回路パネルユニット取付構造。
【請求項４】
前記液体回路パネルを前記液体処理装置から取り外すための取外し動作は、前記液体回路パネルユニットを前記液体処理装置から離間する方向に引き出す動作であり、
前記スライドカバーは、
前記取外し動作による前記液体回路パネルユニットからの押圧力をスライド方向に変換する他の傾斜面を有する、請求項３に記載の液体回路パネルユニット取付構造。
【請求項５】
前記チューブ保持部は、
前記液体回路パネルユニットの取付前には前記チューブが挿入される受入口を開いており、前記取付動作の完了時に前記受入口を閉じることにより前記チューブを前記定位置で保持する、請求項１に記載の液体回路パネルユニット取付構造。
【請求項６】
前記液体状態センサは、前記液体に含まれる気泡を検出する気泡センサである請求項１〜５の何れか１項に記載の液体回路パネルユニット取付構造。
【発明の詳細な説明】
【技術分野】
【０００１】
本発明は、液体回路パネルユニットを液体処理装置に取り付ける液体回路パネルユニット取付構造に関するものである。
【背景技術】
【０００２】
この種の液体処理装置では、液体回路内の液体の状態を検知するための液体状態センサが用いられる場合があり、この種の液体状態センサとしては、例えば、液体回路を構成するチューブの外壁面に当接して、当該チューブを流動する液体の状態を非接触で検知するタイプが用いられる場合がある。このような技術として、下記特許文献１に記載のセンサユニットが知られている。特許文献１記載のセンサユニットは、クリップ及び当該クリップに内蔵されたセンサを備えており、チューブの外側にクリップを装着することにより、センサがチューブの外壁面に当接するようになっている。
【先行技術文献】
【特許文献】
【０００３】
【特許文献１】実用新案登録第３０８１８９２号公報
【発明の概要】
【発明が解決しようとする課題】
【０００４】
しかしながら、上記のセンサユニットにあっては、手作業でクリップを取り付けるので、チューブの外壁面に対して正しい位置や姿勢でセンサが接触しない場合があり正確なセンシングが出来ない場合がある。また、人的ミスにより液体回路上の誤ったチューブの部位にセンサユニットを取り付けてしまう虞もある。
【０００５】
本発明は、液体処理装置に取り付けられる液体回路パネルユニット上のチューブに対して液体状態検知センサを正確に配置することが可能な液体回路パネルユニット取付構造を提供することを目的とする。
【課題を解決するための手段】
【０００６】
本発明の液体回路パネルユニット取付構造は、液体の流路を形成するチューブと、当該チューブを定形状に保持して液体回路を形成するための回路パネルと、を有する液体回路パネルユニットを、液体を処理する液体処理装置に取り付ける液体回路パネルユニット取付構造であって、液体処理装置に設けられ液体回路パネルユニットのチューブ内を通過する液体の状態を検知する液体状態センサと、液体状態センサに対応して液体回路パネルユニットのチューブを定位置に保持するチューブ保持部と、を備え、チューブ保持部は、液体回路パネルユニットの液体処理装置への取付動作に連動してチューブを受入れると共に、取付動作の完了時にチューブを定位置で保持する。
【０００７】
この取付構造によれば、チューブ保持部が、液体回路パネルユニットの液体処理装置への取付動作に連動してチューブを受入れると共に、取付動作の完了時にチューブを定位置で保持するので、液体回路パネルユニットの取付時にチューブが自動的に定位置に保持され、正確にセンサを配置することができる。
【０００８】
また、具体的な構成として、チューブ保持部は、液体回路パネルユニットの取付前にはチューブが挿入される受入口を閉じており、液体回路パネルユニットの取付動作に連動して受入口を開き、取付動作の完了時に受入口を閉じることによりチューブを定位置で保持する、こととしてもよい。
【０００９】
また、具体的な構成として、取付動作は、液体回路パネルユニットを液体処理装置に向けて押圧する動作であり、チューブ保持部は、チューブが挿入される受入口を覆うと共に、取付動作の押圧方向に直交する方向にスライドして受入口を開閉するスライドカバーを備え、スライドカバーは、取付動作による液体回路パネルユニットからの押圧力をスライド方向に変換する傾斜面を有する、こととしてもよい。
【００１０】
この構成によれば、取付動作において、液体回路パネルユニットを液体処理装置に向けて押圧するときに、自動的にチューブ保持部の受入口が開き、受入口にチューブが挿入される。
【００１１】
また、液体回路パネルを液体処理装置から取り外すための取外し動作は、液体回路パネルユニットを液体処理装置から離間する方向に引き出す動作であり、スライドカバーは、取外し動作による液体回路パネルユニットからの押圧力をスライド方向に変換する他の傾斜面を有する、こととしてもよい。
【００１２】
この構成によれば、取外し動作において、液体回路パネルユニットを液体処理装置から引っ張るときに、自動的にチューブ保持部の受入口が開き、受入口からチューブが引き出される。
【００１３】
また、チューブ保持部は、液体回路パネルユニットの取付前にはチューブが挿入される受入口を開いており、取付動作の完了時に受入口を閉じることによりチューブを定位置で保持する、こととしてもよい。
【００１４】
具体的には、液体状態センサは、液体に含まれる気泡を検出する気泡センサであってもよい。
【発明の効果】
【００１５】
本発明によれば、液体処理装置に取り付けられる液体回路パネルユニット上のチューブに対して液体状態検知センサを容易かつ正確に配置することが可能な液体回路パネルユニット取付構造を提供することができる。
【図面の簡単な説明】
【００１６】
【図１】本実施形態に係る急速輸液装置を示す斜視図である。
【図２】本実施形態に係る急速輸液装置の背面図である。
【図３】急速輸液装置に装着された液体回路パネルユニットの近傍を拡大して示す斜視図である。
【図４】液体回路の一例を示す図である。
【図５】本実施形態に係る急速輸液装置のブロック図である。
【図６】本実施形態に係る急速輸液装置のチューブ保持部の近傍を拡大して示す斜視図である。
【図７】（ａ），（ｂ）は、図６のチューブ保持部の動作を示す平面図である。
【図８】（ａ）〜（ｄ）は、液体回路パネルユニットの取付動作中におけるチューブ保持部の動作を示す平面図である。
【発明を実施するための形態】
【００１７】
以下、図面を参照しつつ本発明の好適な実施形態について詳細に説明する。なお、本実施形態で用いる「液体」とは、赤血球、白血球、または血小板などの血液成分を含む液体を広く意図しており、輸血用の全血製剤、赤血球製剤、血小板製剤、血漿製剤などの血液製剤及び生理食塩水を含む。
【００１８】
急速輸液装置１は、治療において血液製剤などの液体を患者に導入する装置であり、特に、緊急を要する場合に、冷蔵保存された液体を適当な温度まで加温しながら送液する装置である。急速輸液装置１には血液成分を含む液体が通過する液体回路２が装着される。最初に、液体回路２について説明し、その後、急速輸液装置１、及び加温装置８０を詳述する。
（液体回路）
【００１９】
図３、及び図４に示されるように、液体回路２は、例えば、合成樹脂製（塩化ビニルなど）のチューブなどを備えており、液体Ｌが通過する流路を形成している。液体回路２は、急速輸液装置１の所定位置に設置され、急速輸液装置１の駆動によって液体回路２内の液体Ｌが移送され、また、液体回路２内を通過する液体Ｌが適宜に加温される。
【００２０】
液体回路２は、基本的に外気から遮断された閉鎖系の液体流路であり、低温貯蔵によって品質管理されていた血液等と抗凝固剤との混合液体（液体）Ｌを貯留するリザーババッグ４と、液体Ｌを移送する送液ライン１０と、送液ライン１０の終端に設けられて液体Ｌを排出する穿刺針接続部５と、送液ライン１０上に設けられたドリップチャンバ７と、を備えている。
【００２１】
送液ライン１０は、リザーババッグ４と穿刺針接続部５とを連絡する液体流路であり、送液ライン１０の途中には、ドリップチャンバ７が取り付けられている。送液ライン１０のうち、ドリップチャンバ７を挟んだ上流側は上流側ライン１１であり、下流側は下流側ライン１２である。
【００２２】
ドリップチャンバ７は、流路を形成するチューブの内径に比べて幅の広い筒状容器であり、ドリップチャンバ７内に流入した液体Ｌから気泡が分離捕捉される。ドリップチャンバ７は、長手方向が上下を向くように急速輸液装置１に設置され、上部には気泡排出口７ａと液体受入口７ｃとが設けられ、下端部には液体排出口７ｂが設けられている。
【００２３】
上流側ライン１１の途中には、合成樹脂製でプレート状の加温バッグ（加温経路部）１３が設けられている。加温バッグ１３は、加温装置８０に接触等するように急速輸液装置１内に挿入される。加温バッグ１３には液体Ｌが通過する蛇行流路１３ａが形成されており、蛇行流路１３ａの入口１３ｂと出口１３ｃとには、それぞれチューブが接続されている。入口１３ｂ側のチューブはリザーババッグ４に接続されており、出口１３ｃ側のチューブはドリップチャンバ７の液体受入口７ｃに接続されている。
【００２４】
また、ドリップチャンバ７の液体排出口７ｂにはチューブが接続され、このチューブの下流側の端部には、穿刺針接続部５が設けられている。また、ドリップチャンバ７の気泡排出口７ａにはチューブが接続され、このチューブの他方の端部はリザーババッグ４に接続されている。ドリップチャンバ７の液体排出口７ｂに接続されたチューブは下流側ライン１２を形成し、気泡排出口７ａに接続されたチューブは気泡戻しライン１５を形成する。また、下流側ライン１２を形成するチューブは、途中の分岐部１２ａで分岐し、リザーババッグ４に接続される。下流側ライン１２の分岐部１２ａから分岐するチューブは、追加気泡戻しライン１７を形成する。
【００２５】
また、液体回路２の主要部は、回路パネル３に組み付けられ、一体的にまとめられている。回路パネル３を急速輸液装置１の所定位置に装着することで、間接的、且つ簡易に液体回路２の主要部の急速輸液装置１への装着が完了する。
（急速輸液装置）
【００２６】
図１〜図５に示されるように、急速輸液装置１は、液体回路２を通過する液体Ｌを送液する送液ポンプＰ１、液体Ｌを加温する加温装置８０、液体Ｌ中の気泡を検出する各検出器３０ａ、３０ｂ、３０ｃ、液体回路２のチューブを締め付けて流路を閉じ、締め付けを解いて流路を開く主クランプ３１、及び副クランプ３２を備え、更に、送液ポンプＰ１、気泡除去ポンプＰ２，及び加温装置８０等の制御を行う制御部５０を備えている。
【００２７】
急速輸液装置１の筐体４０は、コンパクトでスリムな体形を意識して設計されており、奥行きに比べて正面、及び背面の幅がかなり狭くなっている。筐体４０は、側面視で縦長の略矩形であり、更に、上部が前方に嘴状に突き出した形状になっている。この嘴状の形状により、筐体４０の正面上部には、傾斜面４０ａが形成されている。また、筐体４０の上端である略平坦な部分は、周縁よりも内側の方が僅かに窪んだトレー部４０ｂが形成されており、作業時の物置として適宜利用できる。
【００２８】
筐体４０の正面上部に設けられた傾斜面４０ａには、操作パネル６０が設けられている。操作パネル６０には、表示モニター６１、停止スイッチ６２、各種設定ボタン６３、二つの流量調整つまみ（以下「流量調整ハンドル」という）６４、６５が配置されている。二つの流量調整ハンドル６４、６５のうち、一方は、通常の輸液等の際に使用される流量調整ハンドル６４であり、他方は、緊急時の急速輸液等の際に使用される流量調整ハンドル６５である。操作パネル６０を傾斜面４０ａに配置することで、少なくとも立った状態で作業する医療従事者にとっての利便性、作業性は向上する。
【００２９】
操作パネル６０の下方には、送液ポンプＰ１が設けられている。送液ポンプＰ１は、矩形のボックス内で回転するロータを備え、このロータがチューブを一定方向に扱くように回転することで、液体回路２内の液体Ｌを圧送する。なお、本実施形態に係る送液ポンプＰ１は操作パネル６０よりも奥に隠れた位置に配置されており、傾斜面４０ａではなく、鉛直面上に配置されている。しかしながら、送液ポンプＰ１についても液体回路２のチューブをローラの所定位置に巻き付けて装着する際の利便性を考慮し、操作パネル６０と同様に傾斜面４０ａに設けるようにしても良い。
【００３０】
送液ポンプＰ１の下方には、液体回路２の加温バッグ１３が挿入される縦長のスロット４１が設けられている。スロット４１は、加温装置８０の挿入口となる部分であり、スロット４１内に加温装置８０が内蔵されている。スロット４１は、下端の方が上端よりも手前側に突き出すように傾斜しており、加温バッグ１３を挿入する際の作業性の向上という点で有利である。
【００３１】
スロット４１の下方には、漏出した液体Ｌを受け入れる受け皿４２が設けられている。緊急時の輸血では、液体回路２の内圧が通常輸血の場合に比べて大きくなり、その分、合成樹脂等からなる可撓性の加温バッグ１３には過負荷がかかる。当然のことながら、加温バッグ１３には、その過負荷に耐え得るだけの十分な強度を持たせているが、仮に、加温バッグ１３が破損して液体Ｌが漏出し、急速輸液装置１の全体から漏れ出てしまうと、後の作業等にも支障をきたす恐れがある。そこで、本実施形態では、筐体４０内の所定位置に保持された加温バッグの下方に、受け皿４２に接続されたスロープ４３を設けている。漏出した液体Ｌをスロープ４３で受け止めることで漏出した液体Ｌの拡散を最小限に抑えることができ、また、傾斜したスロープ４３によって受け皿４２に集約されるので急速輸液装置１の周囲の広い範囲を汚してしまうことを防ぐことができる。
【００３２】
筐体４０の側面には、液体回路２の回路パネル３を所定位置に保持する複数のフック４４が設けられている。これらのフック４４は、回路パネル３に形成された孔部３ａや切欠き３ｂに係合して回路パネル３を所定位置に位置決めする。
【００３３】
また、この側面には、液体回路２が所定位置に設置された状態において、上流側ライン１１に対応して配置された検出器３０ａ、下流側ライン１２の分岐部１２ａよりも上流側に配置された第１下流側検出器３０ｂ、下流側に配置された第２下流側検出器３０ｃ、分岐部１２ａよりも下流側の流路を開閉する主クランプ３１，追加気泡戻しライン１７を開閉する副クランプ３２、及び気泡戻しライン１５に配置された気泡除去ポンプＰ２等が設けられている。
【００３４】
筐体４０の底部には、移動可能となるように４か所にキャスター４５ａが設けられた台車部４５が設けられている。
【００３５】
筐体４０の背面には、各種液体の貯留バッグを吊り下げて支持するスタンド部４７が設けられている。各種液体の貯留バッグとは、リザーババッグ４、血液成分を含む液体Ｌを貯留する血液成分貯留バッグ４Ａ、プライミング用液体（生理食塩水等）を貯留するプライミング液貯留バッグ４Ｂ、血液成分貯留バッグ４Ｃ等である。なお、血液成分貯留バッグ４Ａ、４Ｃとは、チューブを介してリザーババッグ４に接続され、リザーババッグ４内で作業者の手で揉まれることで混合される。また、プライミング液貯留バッグ４Ｂは、液体回路２にプライミング処理を施す際に、リザーババッグ４に接続され、液体Ｌや抗凝固剤をリザーババッグ４内に導入する前にプライミング液を供給する。
【００３６】
また、急速輸液装置１は、各検出器３０ａ、３０ｂ、３０ｃで検出された値に基づいて送液ポンプＰ１、気泡除去ポンプＰ２、主クランプ３１、副クランプ３２を制御し、更に、加温装置８０への電力供給を制御する制御部５０を備えている。制御部５０は、ＣＰＵ，ＲＡＭ，ＲＯＭなどが実装された制御基板やメモリ及び各種制御信号の送受信を行う通信モジュールなどを備えており、制御基板が所定のプログラムに従って動作処理を行うことにより、各種機能（例えば、流量調整機能）を実現してもよい。
【００３７】
制御部５０は、操作パネル６０に接続されており、操作パネル６０で医療従事者等による操作を受け付けると、その操作信号が制御部５０に入力され、その操作信号に基づいた制御が行われる。
【００３８】
例えば、制御部５０は、各検出器３０ａ、３０ｂ、３０ｃに有線又は無線によって接続されていており、各検出器３０ａ、３０ｂ、３０ｃで検出された値に基づいて送液ライン１０内を通過する液体Ｌ中の気泡の有無を監視する。
【００３９】
また、制御部５０は、送液ポンプＰ１及び気泡除去ポンプＰ２に有線又は無線によって接続されており、送液ポンプＰ１を制御することで上流側ライン１１を通過する液体Ｌの流量である送液流量を制御する。また、制御部５０は、気泡除去ポンプＰ２を制御することで気泡戻しライン１５を通過する液体Ｌ及び気泡の少なくとも一方の流量である戻し流量を制御する。つまり、制御部５０は、送液流量と戻し流量とを制御することにより、ドリップチャンバ７内の液面が所定の高さよりも降下しないように制御しており、基本的には、送液流量よりも戻し流量の方が少なくなるように制御している。
【００４０】
また、制御部５０は、第１下流側検出器３０ｂや第２下流側検出器３０ｃでの検出値に基づいて主クランプ３１を制御して下流側ライン１２を開閉させ、また、副クランプ３２を制御して追加気泡戻しライン１７を開閉させる。
【００４１】
また、制御部５０は、電源ユニット７０に接続されており、電源ユニット７０を制御することで、加温装置８０への電流の供給を制御する。電源ユニット７０は、基本的に外部電源に接続されており、制御部５０からの制御信号を受けて加温装置８０への電流の供給、停止を行う。電源ユニット７０は加温装置８０に電流を供給する電流供給部に相当する。
【００４２】
続いて、図３及び図６〜図８を参照しながら、検出器（液体状態センサ）３０ａ，３０ｂ，３０ｃの周囲の構造について更に詳細に説明する。検出器３０ａ，３０ｂ，３０ｃはすべて同様の構成を有しているので、以下の説明においては、各々を特に区別する場合を除き、検出器３０ａ，３０ｂ，３０ｃを総称して「検出器３０」と呼ぶ。検出器３０は、気泡センサであり、液体回路２のチューブ６の外壁面に当接して、当該チューブ６内の液体Ｌに含まれる気泡を非接触で検出する。検出器３０としては、例えば超音波気泡センサ等が採用される。
【００４３】
前述の通り、液体回路２の急速輸液装置１への装着を簡易にするため、液体回路２の構造で連結された可撓性のチューブ６を、硬質の回路パネル３上に一体的にまとめた液体回路パネルユニット８が採用されている（図３参照）。液体回路パネルユニット８は、液体Ｌの流路を形成する可撓性のチューブ６と、当該チューブ６を定形状に保持して液体回路２を形成するための回路パネル３と、を有している。回路パネル３は、例えば、ABS、PVC、PC等の硬質の樹脂材料からなる。
【００４４】
液体回路パネルユニット８を筐体４０の側面４０ｓに取付けるときは、回路パネル３の孔部３ａとフック４４とを係合させて液体回路パネルユニット８を位置決めし、回路パネル３を側面４０ｓに向けて矢印Ｃ方向に押圧して、切欠き３ｂを下部のフック４４に係合させる（以下「取付動作」という）。このとき、自動的にチューブ６の適切な部位が検出器３０に当接する位置に配置され、容易に移動しないように保持されるようになっている。また、液体回路パネルユニット８を筐体４０の側面４０ｓから取外すときは、切欠き３ｂと下部のフック４４との係合を解除し、回路パネル３を側面４０ｓから離間する方向に引き出す（以下「取外し動作」という）。このとき、検出器３０から自動的にチューブ６の保持が解除されるようになっている。
【００４５】
以下、取付動作時に液体回路パネルユニット８のチューブ６が検出器３０の位置に自動的に保持され、取外し動作時にチューブ６の保持が自動的に解除されるための液体回路パネルユニット８の取付構造について説明する。
【００４６】
筐体４０の側面４０ｓには、チューブ６を定位置に保持するチューブ保持部２０ａ，２０ｂ，２０ｃが設けられており、それぞれのチューブ保持部に検出器３０ａ、３０ｂ、３０ｃが組込まれている。チューブ保持部２０ａ，２０ｂ，２０ｃは、すべて同様の構成を有しているので、以下の説明においては、各々を特に区別する場合を除き、チューブ保持部２０ａ，２０ｂ，２０ｃを総称して「チューブ保持部２０」と呼ぶものとし、重複する説明を省略する。チューブ保持部２０に対応する位置において、回路パネル３には開口３ｐが形成されている。開口３ｐは、チューブ保持部２０の形状に対応させた形状に形成されており、チューブ保持部２０を挿通させる。また、回路パネル３の前面に取り付けられたチューブ６は、開口３ｐの前方を横切って上下に延在するように回路パネル３に取り付けられている。
【００４７】
チューブ保持部２０は、筐体４０の側面４０ｓから突出しており、液体回路パネルユニット８が急速輸液装置１に取り付けられたときに、回路パネル３に形成された開口３ｐに挿通される。チューブ保持部２０は、筐体４０の側面４０ｓから突出して前方に設けられると共に検出器３０を内蔵するセンサ部２１を備えている。センサ部２１の前面には、チューブ受入溝（受入口）２２が上下方向に延びるように形成されている。チューブ受入溝２２の内側面には、内蔵された検出器３０の一対のプローブが対向して露出している。チューブ受入溝２２には開口３ｐを横切って延びるチューブ６が挿入される。
【００４８】
更に、チューブ保持部２０は、チューブ受入溝２２を覆うと共に、側面４０ｓと平行な水平方向（図７の矢印Ａ，Ｂ方向）にスライドするスライドカバー２３を備えている。スライドカバー２３は、センサ部２１に対し、矢印Ａ方向に向けてバネ等により付勢されていると共に、図７（ａ）の位置においてストッパ（図示）で係止されている。スライドカバー２３の前面には、チューブ受入溝２２を開放するための開放口２３ａが形成されている。通常は、図７（ａ）に示されるように、チューブ受入溝２２と開放口２３ａとの位置がずれているため、チューブ受入溝２２が閉じ、チューブ６をチューブ受入溝２２に挿入することができない。図７の矢印Ｂ方向の外力がスライドカバー２３に加わると、上記の付勢力に抗って図７（ｂ）の位置までスライドカバー２３が移動する。この状態では、チューブ受入溝２２と開放口２３ａとの位置が重なるため、チューブ受入溝２２が開かれた状態であり、チューブ６をチューブ受入溝２２に対して前方から挿入することが可能である。また、開放口２３ａの内側からスライド方向に切り欠かれるように、チューブ６を上下方向に挿通させるための切欠き部２３ｂが形成されている。図７（ａ）の状態において、チューブ受入溝２２に挿入されたチューブ６は、切欠き部２３ｂを通じてスライドカバー２３の上下に引き出される（図８（ｄ）参照）。
【００４９】
スライドカバー２３の前面端部には、スライド方向（矢印Ａ，Ｂ方向）に対して傾斜した鉛直面をなす傾斜面２５ａが形成されている。これに対し、回路パネル３の開口３ｐの１つの縁部として、上記傾斜面２５ａに対面する位置で鉛直に延びるエッジ３ｑが形成されている。エッジ３ｑは、例えば、鉛直方向に延びる円柱面をなしている。傾斜面２５ａは、液体回路パネルユニット８の取付動作時において、エッジ３ｑからの矢印Ｃ方向の押圧力を当該押圧方向に直交する矢印Ｂ方向への力に変換する。更に、スライドカバー２３の後面端部には、スライド方向（矢印Ａ，Ｂ方向）に対して傾斜面２５ａとは反対の方向に傾斜した傾斜面２５ｂが形成されている。傾斜面２５ｂは、液体回路パネルユニット８の取外し動作時において、エッジ３ｑからの矢印Ｃ方向とは反対方向（矢印Ｃ’方向）に作用する引っ張り力を矢印Ｂ方向への力に変換する。
【００５０】
液体回路パネルユニット８の取付動作時においては、図８（ａ）に示されるように、エッジ３ｑが傾斜面２５ａに当接し、更に矢印Ｃ方向の押圧力が印加されると、図８（ｂ）に示されるように、エッジ３ｑが傾斜面２５ａ上を摺動しながら、上記押圧力の矢印Ｂ方向の成分によって、スライドカバー２３が矢印Ｂ方向にスライドする。そうすると、図８（ｃ）に示されるように、チューブ受入溝２２が開かれた状態となるので、チューブ６の矢印Ｃ方向への移動に伴って、チューブ６がチューブ受入溝２２に挿入される。その後、エッジ３ｑが傾斜面２５ｂ上を摺動しながら、スライドカバー２３はバネの付勢力によって矢印Ａ方向に移動して初期位置に戻り、取付動作が完了する。このとき、チューブ受入溝２２は閉じられた状態となり、チューブ受入溝２２を通過しているチューブ６は、切欠き部２３ｂを通じてチューブ保持部２０の上下に引き出されているので、チューブ保持部２０によって確実に保持される。また、チューブ６の外壁面が、チューブ受入溝２２の側壁面に設置された検出器３０のプローブに確実に当接する。この構成によれば、取付動作において、液体回路パネルユニット８を側面４０ｓに向けて押圧するときに、自動的にチューブ保持部２０のチューブ受入溝２２が開かれ、チューブ受入溝２２にチューブ６が挿入される。
【００５１】
一方、液体回路パネルユニット８の取外し動作時において、図８（ｄ）の状態から、回路パネル３が矢印Ｃ’方向に引っ張られると、エッジ３ｑからの矢印Ｃ’方向の押圧力が傾斜面２５ｂに印加され、エッジ３ｑが傾斜面２５ｂ上を摺動しながら、上記押圧力の矢印Ｂ方向の成分によって、スライドカバー２３が矢印Ｂ方向にスライドする。そうすると、図８（ｃ）に示されるように、チューブ受入溝２２が開いた状態となるので、チューブ６の矢印Ｃ’方向への移動に伴って、チューブ６がチューブ受入溝２２から引き出される。その後、エッジ３ｑが傾斜面２５ａ上を摺動しながら、スライドカバー２３はバネの付勢力によって矢印Ａ方向に移動して初期位置に戻り、図８（ａ）に示されるように、チューブ６はチューブ保持部２０から解放される。この構成によれば、取外し動作において、液体回路パネルユニット８を側面４０ｓから引っ張るときに、自動的にチューブ保持部２０のチューブ受入溝２２が開かれ、チューブ受入溝２２からチューブが引き出される。
【００５２】
なお、各チューブ保持部２０ａ，２０ｂ，２０ｃのスライドカバー２３のうちの少なくとも２つが、連動してスライドするようにしてもよい。この機能は、スライドカバー２３同士が、例えば側面４０ｓの装置内部側で連結されることにより実現可能である。
【００５３】
上述した液体回路パネルユニット８の取付構造によれば、チューブ保持部２０が、液体回路パネルユニット８の側面４０ｓへの取付動作に連動してチューブ６を受入れると共に、取付動作の完了時にチューブ６を定位置で保持するので、液体回路パネルユニット８の取付時にチューブ６が自動的に定位置に保持され、チューブ６に対して正確な位置及び姿勢で検出器３０を配置することができる。また、人的ミスにより液体回路２上の誤ったチューブ６の部位に検出器３０を取り付けてしまう可能性も低減される。よって、検出器３０による気泡の検出が正確に実行される。さらには、本実施形態のようにセンサを複数有する装置の場合に、液体回路パネルユニット８を取付けることで全てのチューブ保持部２０にチューブ６をまとめて保持することができる。これにより、緊急時には液体回路２を素早く装着することができる。
【００５４】
以上、本発明の一実施形態について説明したが、本発明は、上記実施形態に限られるものではなく、各請求項に記載した要旨を変更しない範囲で変形したものであってもよい。例えば、実施形態では液体状態センサの一例として気泡センサが示されているが、本発明における液体状態センサはこれに限定されず、例えば、圧力を検知する圧力センサであってもよい。実施形態では急速輸液装置に本発明を適用しているが、本発明が適用される液体処理装置はこれに限定されず、例えば、血液浄化装置や透析装置等における液体回路パネルユニット取付構造にも本発明を適用することができる。
【００５５】
また、本実施形態とは異なり、液体回路パネルユニット８の取付前にチューブ受入溝２２が開かれた状態となっており、液体回路パネルユニット８の側面４０ｓへの取付動作の完了時にチューブ受入溝２２が閉じることでチューブ保持部２０がチューブ６を保持するようにしてもよい。
【符号の説明】
【００５６】
１…急速輸液装置（液体処理装置）、２…液体回路、３…回路パネル、６…チューブ、８…液体回路パネルユニット、２０…チューブ保持部、２２…チューブ受入溝、２３…スライドカバー、２５ａ，２５ｂ…傾斜面、３０…検出器（液体状態センサ、気泡センサ）、Ｌ…液体。
【図１】
2015158472.tif 000003
【図２】
2015158472.tif 000004
【図３】
2015158472.tif 000005
【図４】
2015158472.tif 000006
【図５】
2015158472.tif 000007
【図６】
2015158472.tif 000008
【図７】
2015158472.tif 000009
【図８】
2015158472.tif 000010